(57)【要約】【課題】扉の把手を手摺として使用できるとともに、扉の開閉動作に合わせてラッチ錠の解除動作が容易で使い勝手の良い扉装置の提供を目的とする。【解決手段】扉装置は、扉本体と、把手と、レバーと、連動機構部とを備え、扉本体は、ラッチを解除するラッチ解除機構部を有し、把手は、扉本体の見付け面に取り付けてあるとともに、押し引き操作するものであり、レバーは、把手の外周面の一部分に対向して把手の長手方向と平行に配置してあり且つ把手の長手方向と平行なレバー回動軸により把手の外周周りに回動自在であるとともに、把手と同時に把持自在であり、連動機構部は、レバーを把手の外周周りのどちらの方向に回動してもラッチを解除するようにレバーの動きをラッチ解除機構部につないだ。【選択図】  図１
2006291483.tif 000002
【特許請求の範囲】
【請求項１】
扉本体と、把手と、レバーと、連動機構部とを備え、
扉本体は、ラッチを解除するラッチ解除機構部を有し、
把手は、扉本体の見付け面に取り付けてあるとともに、押し引き操作するものであり、
レバーは、把手の外周面の一部分に対向して把手の長手方向と平行に配置してあり且つ把手の長手方向と平行なレバー回動軸により把手の外周周りに回動自在であるとともに、把手と同時に把持自在であり、
連動機構部は、レバーを把手の外周周りのどちらの方向に回動してもラッチを解除するようにレバーの動きをラッチ解除機構部につないであることを特徴とする扉装置。
【請求項２】
レバーの外径寸法は、把手の外径寸法より小さく、レバーは把手の扉側面側の親指以外の指が掛かる位置に配置してあることを特徴とする請求項１記載の扉装置。
【請求項３】
連動機構部は、ラッチ解除アームと、ラッチ解除補助アームと、付勢部材とを有し、
ラッチ解除アームは、室内外方向略中央部が把手の長手方向と平行なアーム回動軸により軸着してあり、レバーが一方向側に回動したときに、ラッチ解除アームのレバー側端部がレバーにより押されて扉側端部がラッチ解除機構部を押す方向に回動するものであり、
ラッチ解除補助アームは、扉側端部が把手の長手方向と平行な補助アーム回動軸により軸着してあるとともに、ラッチ解除アーム側端部を把手の長手方向と平行で且つアーム回動軸と補助アーム回動軸との間に位置する連結軸によりラッチ解除アームの室内外方向略中央部に軸着してあり、レバーが他方向側に回動したときに、ラッチ解除補助アームのレバー側端部がレバーにより押されてラッチ解除アーム側端部が回動することに伴って、ラッチ解除アームがラッチ解除機構部を押す方向に回動するものであり、
付勢部材は、ラッチ解除アームがラッチ解除機構部を押す方向に回動することを防止する方向にラッチ解除アームを常時付勢してあることを特徴とする請求項１又は２に記載の扉装置。
【発明の詳細な説明】
【技術分野】
【０００１】
この発明は、錠の解除機構を有する扉装置に関する。
【背景技術】
【０００２】
特許文献１には、扉に手摺を固定し、手摺にラッチを解除するレバーを設ける技術が開示されているが、手摺に設けたラッチ解除レバーは手摺の手前側に突出していて見映えがよくなく、下向きにのみにしか操作できないので、使用者にとっては自由度の高い使い方ができなかった。
また、ラッチ解除レバーが手摺の手前側に突出しているので、扉を押すようにして開く場合に、ラッチ解除レバーを下に下げながら扉を押す動作が一連の動作で行うことが困難で使い勝手が悪いという問題があった。
【０００３】
【特許文献１】特開２００２−７０３６８号公報
【発明の開示】
【発明が解決しようとする課題】
【０００４】
本発明は扉の把手を手摺として使用できるとともに、扉の開閉動作に合わせてラッチ錠の解除動作が容易で使い勝手の良い扉装置の提供を目的とする。
【課題を解決するための手段】
【０００５】
請求項１記載の発明に係る扉装置は、扉本体と、把手と、レバーと、連動機構部とを備え、扉本体は、ラッチを解除するラッチ解除機構部を有し、把手は、扉本体の見付け面に取り付けてあるとともに、押し引き操作するものであり、レバーは、把手の外周面の一部分に対向して把手の長手方向と平行に配置してあり且つ把手の長手方向と平行なレバー回動軸により把手の外周周りに回動自在であるとともに、把手と同時に把持自在であり、連動機構部は、レバーを把手の外周周りのどちらの方向に回動してもラッチを解除するようにレバーの動きをラッチ解除機構部につないであることを特徴とする。
ここでラッチ解除機構部とは、扉の開閉をロックするラッチ錠のラッチボルトを解除するために設けた機構をいい、機械的であっても電磁的であってもよい。
また、連動機構部とは、レバーの動きをラッチ解除機構部に連携するための機構をいう。
【０００６】
請求項２記載に係る発明は、レバーの外径寸法は、把手の外径寸法より小さく、レバーは把手の扉側面側の親指以外の指が掛かる位置に配置してあることを特徴とする。
ここで外径寸法とは、レバー及び把手のそれぞれの外接円の径をいい、また、把手の扉側面側の親指以外の指が掛かる位置とは、指に当てて操作するレバーの操作部位の角度が扉と平行な面に対して扉側面側の１０乃至８０度の角度をいう。
【０００７】
請求項３記載に係る発明は、連動機構部は、ラッチ解除アームと、ラッチ解除補助アームと、付勢部材とを有し、ラッチ解除アームは、室内外方向略中央部が把手の長手方向と平行なアーム回動軸により軸着してあり、レバーが一方向側に回動したときに、ラッチ解除アームのレバー側端部がレバーにより押されて扉側端部がラッチ解除機構部を押す方向に回動するものであり、ラッチ解除補助アームは、扉側端部が把手の長手方向と平行な補助アーム回動軸により軸着してあるとともに、ラッチ解除アーム側端部を把手の長手方向と平行で且つアーム回動軸と補助アーム回動軸との間に位置する連結軸によりラッチ解除アームの室内外方向略中央部に軸着してあり、レバーが他方向側に回動したときに、ラッチ解除補助アームのレバー側端部がレバーにより押されてラッチ解除アーム側端部が回動することに伴って、ラッチ解除アームがラッチ解除機構部を押す方向に回動するものであり、付勢部材は、ラッチ解除アームがラッチ解除機構部を押す方向に回動することを防止する方向にラッチ解除アームを常時付勢してあることを特徴とする。
なお、請求項３に記載の発明においては、ラッチ解除アームのレバー側端部がレバーにより押されて扉側端部がラッチ解除機構部を押す方向に回動する方向が一方向側に該当し、ラッチ解除補助アームのレバー側端部がレバーにより押され、ラッチ解除補助アームのラッチ解除アーム側端部がラッチ解除機構部を押す方向に回動する方向が他方向側になる。
【発明の効果】
【０００８】
請求項１記載の発明においては、レバーを把手と同時に把持自在に設けてあり、レバーを把手の外周周りに対してどちらの方向に回動してもラッチを解除するようにレバーの動きをラッチ解除機構部につなぐ連動機構部を設けたので、把手を手摺として使用でき、例えば、扉を手前に引くようにして開ける場合には、レバーを把手とともに掴み、レバーを手前側に廻すだけでラッチ錠を解除でき、扉を押すようにして開く場合にはレバーを把手とともに掴み、前方に押すように廻すことで簡単にラッチ錠が外れるので一連の動作となり使い勝手が良く、扉の操作性に優れる。
【０００９】
請求項２記載の発明においては、レバーの外径寸法が、把手の外径寸法より小さくなっていて、レバーを把手の扉側面側の親指以外の指が掛かる位置に配置したから、把手とともにレバーを握りやすく操作しやすい。
【００１０】
請求項３記載の発明においては、連動機構部をレバーが一方向側に回動したときに、ラッチ解除アームのレバー側端部がレバーにより押されて扉側端部が回動してラッチ解除機構部を押し、レバーが他方向側に回動したときに、ラッチ解除補助アームのレバー側端部がレバーにより押され、ラッチ解除補助アームのラッチ解除アーム側端部が回動しラッチ解除機構部を押すため、簡単な構造でありながらレバーを把手の外周周りのどちら側に回動してもラッチを解除することができる。
【発明を実施するための最良の形態】
【００１１】
本発明に係る扉装置を親子ドアに適用した例を図４に示し、図５に把手及びレバー部分の拡大図を示す。
親子ドアの室内側に親ドアの扉本体１０の見付け面に、長手方向が水平方向になるように把手１２０を取り付けている。
図４のａ−ａ線断面図に示すように、室外側にも把手２０を取り付けている。
なお、室内側の把手１２０と子ドア側の把手１２０ａとの間に、かんぬき錠１２０ｂを有している。
把手２０、１２０は、扉本体の見付け面に取り付けてあり、押し引き操作できるようになっているが、手摺としても使用できるようになっている。
図１、図５のｂ−ｂ線断面図、ｃ−ｃ線断面図に示すように、レバー２１、１２１を把手の外周面の一部分に対向してレバー回動軸２３にて回動自在にして把手の長手方向と平行になっていて、扉本体側に配置してある。
レバー２１は、室内外方向の部分断面図を図１に示すように、把手２０にブラケット２３ａを取り付けてレバーの把手側をレバー回動軸２３で連結している。
レバー２１を一方向側Ａに回動したときの動きを図２に示し、他方向側Ｂに回動したときの動きを図３に示す。
扉本体１０の見付け面の左右２ヶ所にブラケット２４、１２４を取り付けてその間に把手２０、１２０を取り付けてある。
図４に示した例では、把手２０を扉の見付け面の水平方向に取り付けてあるが、上下縦方向に取り付けてもよい。
図１に示すように、レバー２１の外径寸法は、把手２０の外径寸法より小さく、レバーには、図１にて説明すると、上方向に回動するときの上側操作点２１ａとレバー回動軸の軸中心２３ｂを結ぶ線、及び、下方向に回動するときの下側操作点２１ｂとレバー回動軸の軸中心２３ｂを結ぶ線が、それぞれ回動操作しない状態で扉と平行な面に対して１０乃至８０度の角度を成す範囲内で把手の扉側面側の位置に配置してある。
上記、把手とレバーとの位置関係を図１の（ａ）に模式的に示す。
扉と平行な面Ｖに対する、上側操作点２１ａの角度θ１及び下側操作点２１ｂの角度θ２が、θ＝１０〜θ＝８０°の範囲にある。
θ＝１０〜θ＝８０°の範囲が、把手を手で握る際に、同時に、親指以外の指をレバーに掛けることができる最適の範囲である。
また、レバーの横方向の長さは、手のひらサイズ位にしてある。
連動機構部は、レバーの動きをラッチ解除機構部に連携するための機構であり、本実施形態の連動機構部３０はレバー２１の動きを扉本体側に設けたラッチ錠のラッチ解除機構部４０につなぐためのもので、ラッチ解除アーム３１とラッチ解除補助アーム３２と付勢部材３５とを有している。
ラッチ解除機構部の詳細は省略するが、図１において、ラッチ解除アーム３１の扉側端部３１ｃが下方向に回動するとラッチ解除機構部をラッチが解除する方向に押すようになっている。
ラッチ解除アーム３１は、室内外方向略中央部が固定板３４に設けた把手の長手方向と平行なアーム回動軸３１ａにより不動位置に軸着してあり、レバー２１が図２では上方向（一方向側）Ａに回動したときに、ラッチ解除アームのレバー側端部３１ｂがレバーに連結した作動部２２によりａ１の方向に押されて扉側端部３１ｃがａ２の方向に回動して、図示を省略したラッチ解除機構部４０を押す。
ラッチ解除補助アーム３２は、扉側端部がＬ字状３２ｃを成し、Ｌ字のコーナー部３２ｄ（ラッチ解除補助アームの扉側端部）を固定板に設けた把手の長手方向と平行な補助アーム回動軸３２ａにより不動位置に軸着し、且つＬ字先端部（ラッチ解除アーム側端部）を把手の長手方向と平行な連結軸３３によりラッチ解除アーム３１の室内外方向略中央部に軸着してあり、図３に示すように、レバー２１が下方向側（他方向側）Ｂに回動したときに、ラッチ解除補助アーム３２のレバー側端部３２ｂがレバーに連結した作動部２２によりｂ１の方向に押され、Ｌ字先端部が枢着した連結軸３３がｂ２の方向に回動してラッチ解除アームの扉側端部３１ｃをラッチ解除機構部４０を押す方向に回動する。
なお、連結軸３３がアーム回動軸３１ａと補助アーム回動軸３２ａとの間に位置すればよく、ラッチ解除補助アーム３２の形状は必ずしもＬ字状でなくても良い。
固定版３４は、アーム回動軸３１ａと補助アーム回動軸３２ａを形成するためのもので、扉本体側に取り付けても把手側に取り付けても良い。
付勢部材３５はコイルスプリング等からなり、固定板３４に設けた引っかけ部３４ａとラッチ解除アーム側の引っかけ部３１ｄとの間に取り付けてあり、ラッチ解除アームがラッチ解除機構部を押す方向に回動することを防止する方向にラッチ解除アームを常時付勢してある。
【００１２】
ラッチ解除機構部は、扉の開閉をロックするラッチ錠のラッチボルトを解除するために設けた機構であり、機械的であっても電磁的であってもよく、公知の各種手段を採用できる。
一例を図５にて説明すると、扉を閉じた状態ではラッチボルト４１が子ドアのラッチ受け部材４３側に付勢されているとともに、ラッチボルト４１の垂直面がラッチ受け部材４３に干渉して開かなくなっている。
ラッチ解除アームの扉側端部３１ｃ、１３１ｃが例えば下方向に押すと、ラッチボルト４１の係止溝４１ａに係止していた係止部材４２がリンク機構等により、想像線で示したように後退し、係止状態が解除し、扉の開き動作（室外側方向）によりラッチボルト４１が想像線で示したように反転し、傾斜部４１ｂがラッチ受け部材４３に当たり、ラッチボルトが傾斜部に沿って後退可能になり扉が開く。
【００１３】
図６には、本発明に係る扉装置を単ドアに適用した例を示し、把手及びレバーの配置は親子ドアと同様なので説明を省略する。
【図面の簡単な説明】
【００１４】
【図１】扉の把手部に設けたレバー部分の断面図を示す。
【図２】レバーを上方向に回動してラッチを解除する説明図を示す。
【図３】レバーを下方向に回動してラッチを解除する説明図を示す。
【図４】親子ドアの例を示す。
【図５】親子ドアのレバー部の断面図を示す。
【図６】単ドアの例を示す。
【符号の説明】
【００１５】
１０    扉本体
２０    把手
２１    レバー
３１    ラッチ解除アーム
３２    ラッチ解除補助アーム
３５    付勢部材
４０    ラッチ解除機構部
【図１】
2006291483.tif 000003
【図２】
2006291483.tif 000004
【図３】
2006291483.tif 000005
【図４】
2006291483.tif 000006
【図５】
2006291483.tif 000007
【図６】
2006291483.tif 000008